(57)【要約】【課題】表示像と透過像をくっきりと知覚できる透明ディスプレイパネルを提供すること。【解決手段】本発明は、セル毎に発光部と前記発光部の発光を制御する制御部、２つの透明電極部とを設けたディスプレイパネルにおいて、前記発光部を含んだ透過部の形状は縦、横の長辺はともに200μm以上〜1200μm以下である透明ディスプレイパネルである。この構成により、高解像の表示像、また良好に知覚できる表示像と透過像を提供することができる。【選択図】図１
2012221910.tif 000002
【特許請求の範囲】
【請求項１】
セル毎に発光部と前記発光部の発光を制御する制御部、２つの透明電極部とを設けたディスプレイパネルにおいて、前記発光部を含んだ透過部の形状は縦、横の長辺はともに200μm以上〜1200μm以下である透明ディスプレイパネル。
【請求項２】
前記発光部を含んだ透過部の形状は縦、横の長辺はともに270μm以上〜1200μm以下である請求項1に記載の透明ディスプレイパネル。
【請求項３】
セル毎に発光部と前記発光部の発光を制御する制御部、２つの透明電極部とを設けたディスプレイパネルにおいて、前記発光部を含んだ透過部の形状は縦、横の長辺はともに300μm以上〜1200μm以下である請求項1に記載の透明ディスプレイパネル。
【請求項４】
前記セルは四角形であり、前記制御部はトランジスタとコンデンサと配線からなり、前記トランジスタと前記コンデンサは、前記セルの角に配置され、発光層は有機エレクトロルミネセンスである請求項1に記載の透明ディスプレイパネル。
【請求項５】
前記角とは前記セルの上辺の二角である請求項４に記載の透明ディスプレイパネル。
【請求項６】
前記角に配置された前記トランジスタと前記コンデンサと前記配線からなる形状は前記各セルの中央を通る縦線に対して線対称である請求項５に記載の透明ディスプレイパネル。
【請求項７】
前記発光部は両方の面から発光する請求項６に記載の透明ディスプレイパネル。
【請求項８】
前記発光部の内部の一部に発光材料が塗布されていない部分が存在する請求項６に記載の透明ディスプレイパネル。
【請求項９】
前記発光部の裏面には、一部の可視波長域のみを反射する反射膜が塗布されている請求項１に記載の透明ディスプレイパネル。
【請求項１０】
前記発光部を含んだ透過部の形状の横の長辺はともに200μm以上〜1200μm以下であり、かつ、前記発光部を含んだ透過部の形状は、横長辺が縦長辺の１．５倍である請求項１に記載の透明ディスプレイパネル。
【発明の詳細な説明】
【技術分野】
【０００１】
本発明はセル毎に薄膜トランジスタ、すなわち、TFTにより発光を制御し、かつ、背景像を透過する自発光形の透明ディスプレイパネルに関する。
【背景技術】
【０００２】
透明ディスプレイパネルは、一般的なディスプレイパネルに表示される表示像に加えて、ディスプレイパネルを透過された光が透過像として知覚されるパネルである。
【０００３】
そのため、新たに加えられる透過像を如何に知覚できるようにするかが検討されてきた。
【０００４】
透明ディスプレイパネルのうち、自発光形は、LED素子を用いたもの、無機EL素子を用いたものや有機EL素子を用いたものがある。
【０００５】
このうち、有機EL素子による自発光形の透明ディスプレイパネルは、有機EL素子自体を透明化するために、金属材料層を超薄膜で形成する方法が検討されてきた（例えば、特許文献１）。
【０００６】
図３は、特許文献１に記載された従来の有機EL素子における透明ディスプレイパネルの断面図を示すものである。
【０００７】
図３において、透明基板３０１の上に第１の透明導電層３０２と、正孔輸送層３０３と、発光層３０４と、電子輸送層３０５と、電子注入金属層３０６と、第２の透明導電層３０７とを順次積層するように設けている。
【０００８】
電子注入金属層３０６の厚さが数ｎｍときわめて薄いことから透過像を知覚できる。
【０００９】
また、図３の構成では、パネルを大型化したときに、配線の長さが長くなることで、配線の抵抗のばらつきが大きくなり、セル毎に駆動電流を設計通りに供給できなくなる。
【００１０】
そのため、発光層３０４の駆動電流をセル毎に制御するために制御部としてTFTを設け、抵抗ばらつきを抑えることで表示像をむらなくきれいに表示できる。
【先行技術文献】
【特許文献】
【００１１】
【特許文献１】特許第3560375号公報
【発明の概要】
【発明が解決しようとする課題】
【００１２】
しかしながら、従来の構成ではTFTを設けたときにヘイズが高くなり、透過像がぼけるという課題を有していた。
【００１３】
本発明は、上記課題を解決するためになされ、TFTを設けたときに良好に知覚できる表示像と透過像を共に提供することを目的とする。ここでヘイズとは、光の拡散や回折によって像がぼけてしまう現象をいう(JIS  K  7105)。
【課題を解決するための手段】
【００１４】
本発明の一つの実施形態に係る透明ディスプレイパネルは、セル毎に発光部と前記発光部の発光を制御する制御部、２つの透明電極部とを設けたディスプレイパネルにおいて、前記発光部を含んだ透過部の形状は縦、横の長辺はともに200μm以上〜1200μm以下である透明ディスプレイパネルを備える。
【発明の効果】
【００１５】
本発明の透明ディスプレイは、良好に知覚できる表示像と透過像を提供することができる。
【図面の簡単な説明】
【００１６】
【図１】本発明の実施の形態１における透明ディスプレイの断面図である。
【図２】本発明の実施の形態１における透明ディスプレイパネルの一セルの一例を示す正面図である。
【図３】従来の透明ディスプレイパネルの断面図である。
【図４】本発明の実施の形態１におけるTFTの動作・作用を示す図である。
【図５】（ａ）本発明の実施の形態１における透過像のぼけ許容と透過部との関係を示す図（ｂ）開口径ｄとぼけの許容評価の結果を表で示した図（ｃ）開口径ｄとぼけの許容評価の結果をグラフで示した図である。
【図６】（ａ）本発明の実施の形態２における、制御部を上辺の二角に配置し、制御部から電極に抵抗を低減するように配線した透明ディスプレイパネルの正面を示す図（ｂ）発光部と制御部を重ねて電極への電流供給を行った図である。
【図７】（ａ）本発明の実施の形態３における、制御部の形状を直線的に形成した透明ディスプレイパネルの正面を示す図（ｂ）本発明の実施の形態３における、制御部の形状を曲線的に形成した透明ディスプレイパネルの正面を示す図である。
【図８】本発明の実施の形態４における透明ディスプレイパネルの正面図である。
【図９】本発明の実施の形態５における透明ディスプレイパネルの断面図である。
【図１０】本発明の実施の形態６における透明ディスプレイパネルの正面図である。
【図１１】本発明の実施の形態７における透明ディスプレイパネルの正面図である。
【発明を実施するための形態】
【００１７】
本発明の一つの実施形態に係る透明ディスプレイパネルは、セル毎に発光部と前記発光部の発光を制御する制御部、２つの透明電極部とを設けたディスプレイパネルにおいて、前記発光部を含んだ透過部の形状は縦、横の長辺はともに200μm以上〜1200μm以下である透明ディスプレイパネルを備える。
【００１８】
また、好適な実施形態において、前記発光部を含んだ透過部の形状は縦、横の長辺はともに270μm以上を備える。
【００１９】
また、好適な実施形態において、前記発光部を含んだ透過部の形状は縦、横の長辺はともに300μm以上を備える。
【００２０】
また、好適な実施形態において、前記セルは四角形であり、前記制御部はトランジスタとコンデンサと配線からなり、前記トランジスタと前記コンデンサは、前記セルの角に配置され、発光層は有機エレクトロルミネセンスである。
【００２１】
また、好適な実施形態において、前記角とは前記セルの上辺の二角である。
【００２２】
また、好適な実施形態において、前記角に配置された前記トランジスタと前記コンデンサと前記配線からなる形状は前記各セルの中央を通る縦線に対して線対称である。
【００２３】
また、好適な実施形態において、前記発光部は両方の面から発光する。
【００２４】
また、好適な実施形態において、前記発光部の内部の一部に発光材料が塗布されていない部分が存在する。
【００２５】
また、好適な実施形態において、前記発光部の裏面には、一部の可視波長域のみを反射する反射膜が塗布されている。
【００２６】
また、好適な実施形態において、セル毎に発光部と前記発光部の発光を制御する制御部、２つの透明電極部とを設けたディスプレイパネルにおいて、前記発光部を含んだ透過部の形状の横の長辺はともに200μm以上〜1200μm以下であり、かつ、前記発光部を含んだ透過部の形状は、横長辺が縦長辺の１．５倍である。
【００２７】
以下、本発明の一つの実施の形態に係る透明ディスプレイパネルについて、図面を参照しながら説明する。なお、本発明は、以下の実施の形態に限定されるものでなはない。
【００２８】
（実施の形態１）
図１は、本発明の第１の実施の形態における。透明ディスプレイの概を示す断面図である。
【００２９】
図１において、セル毎の発光部の発光を制御する制御部、すなわち、薄膜トランジスタ（TFT）基板１０１はセル毎の発光部に対して駆動を制御するものであり、データの有無を操作するスイッチ用のTFTと駆動電流を制御するTFTや電荷を制御するコンデンサ等からなる。
【００３０】
TFT基板１０１の上には、平坦化膜１０２、第1の透明導電層１０３、注入・輸送層１０４、発光層１０５、注入・輸送層１０６、第２の透明導電層１０７からなる。
【００３１】
平坦化膜１０２はTFT基板の凹凸を減少させて、後工程を精度よく行うための層である。第1の透明導電層１０３、第２の透明導電層１０７は、発光層１０５に電流を注入するための電極である。
【００３２】
注入・輸送層１０４、注入・輸送層１０６は、電子、正孔を効率よく注入させたり、輸送させるための層である。これらの層は、材料の違いや効率、コストなどの重視する目的によって、注入層のみであったり、輸送層のみであったり、または、まったく、無い場合もある。
【００３３】
したがって、注入・輸送層１０４，１０６は、目的や性能によって層数は変化する。
【００３４】
本実施の形態１では、ボトムアップタイプの有機EL素子を使用した。
【００３５】
本実施の形態１の発光層１０５は、有機発光体である。
【００３６】
発光層１０５の上層、下層には、光を反射する物体が存在しないことから上下の両方向に光は発光する。
【００３７】
TFT基板１０１から電流は、表示像のための書込み情報により、陽極、すなわち、第1の透明導電層１０３に流れ込み、注入・輸送層１０４を経て、発光層１０５に効率よく流れ、電子と正孔が再結合されて発光された後、電流は、注入・輸送層１０６を経て、第２の透明導電層１０７に流れる。
【００３８】
図２(a)は、発光部２０３の一セルの一例を示す正面図である。図２(a)は、一セルが単色の例で、一セルは一画素である。
【００３９】
発光部２０３の周囲にありかつ制御部であるTFT基板２０４は、TFT、コンデンサ、そして、それらに接続して電流を送り込む配線が配置される。
【００４０】
TFT基板２０４は、図２(a)から明らかなように、データ線２０５、電源供給線２０１、走査線２０２による金属配線でセル毎を囲んでおり、TFTやコンデンサなどはそれらの配線に沿って配置される。
【００４１】
上記金属配線でセルを囲んだ領域からTFT基板２０４を除いた部分が透過部２０８である。
【００４２】
図２(b)は、発光部２０３がTFT基板２０４上に重なっている場合である。
【００４３】
図２(c)は、発光部２０３の全周に制御部が配置されている場合である。
【００４４】
発光部２０３とTFT基板２０４との電気的導通は、図面には記載していないが、透光性を有する電極(例えば、ITOなど)によりなされる。また、発光部２０３の下側に酸化物半導体のTFTを配置し、基板２０４を金属などで遮光してもよい。
【００４５】
図２(a)から図２(c)は一セルが単色の例を示したが、フルカラ−の場合は、３セル以上で一画素を形成する。
【００４６】
発光層を含む透過部２０８は、縦の長辺２０６および横の長辺２０７を有する。
【００４７】
つぎに、図４を用いてTFT基板２０４が映像信号を受けて、有機EL素子に送るまでの電流の流れ、すなわち、透明ディスプレイパネルの表示像に対する動作・作用について説明する。
【００４８】
映像信号のうち、走査線２０２の電流信号がスイッチ用TFT４０１のゲートに流れ込みスイッチがONの状態になる。
【００４９】
映像信号のデータ線２０５に電流信号があるときにスイッチ用TFT４０１のソースに流れ込む。
【００５０】
次に、スイッチ用TFT４０１のドレインに電流信号が流れ、駆動用TFT４０２のゲートに電流信号が流れ込む。
【００５１】
一方、電源供給線２０１からコンデンサ４０３に電荷が貯まる。
【００５２】
次に、駆動用TFT４０２のソースにコンデンサ４０３からの電荷が流れ込む。
【００５３】
その後、駆動用TFT４０２のドレインにデータ線の電流信号に比例した電流が流れる。
【００５４】
それゆえ、有機ELの陽極に電流が流れる。
【００５５】
次に、発明者らは、透過像が良好にきれいに見える条件を検討した。
【００５６】
したがって、透過像がぼける主な原因はTFT基板２０４の形状に依存した光の回折によると考えられるため、TFT基板の形状とぼけの許容値との関係を実験により検討した。
【００５７】
図５(a)に実験の簡単な模式図を示す。文字“あ”５０１、照明光源５０２、ステンレス製金網５０３、ステンレス製金網の縦穴の長さｄ５０４、ステンレス製金網の横穴の長さｄ５０５、観測者の眼５０６、観測者が知覚する透過像５０７、NDフィルタ５０８で示されている。
【００５８】
照明光源５０２は文字５０１のみを照射している。文字５０１から反射された光はステンレス製金網５０３の縦穴の長さｄ５０４、横穴の長さｄ５０５で作られた開口部、さらにNDフィルタ５０８を通って観測者の眼５０６に到達する。その後、観測者の網膜で結像され大脳で透過像５０７として知覚される。
【００５９】
照明光源５０２は文字５０１のみを照射しており、さらに、NDフィルタ５０８を用いているので、観測者の眼５０６とステンレス製金網５０３の間での光の散乱等による文字５０１の見えへの影響はほとんどない。
【００６０】
ステンレス製金網５０３はTFT基板の代替物として使用した。
【００６１】
以下、ステンレス製金網５０３が代替物として使用できる理由について説明する。
【００６２】
人間の目は横の解像度の感度は高いが、縦の解像度の感度は低い。
【００６３】
ぼけは、回折で起こる。透過部２０８の中心のピッチを同じにして、TFT基板２０４の幅が大きくなると透過物の隠蔽率が上がる。しかし、TFT基板２０４の幅は、ぼけに影響を与えない。
【００６４】
つまり、透過像の文字の読みにくさには悪化するが、２重にみえるぼけによって、読みにくくなる訳ではない。
【００６５】
すなわち、ぼけと透過物の隠れて読みにくくなるということ(隠蔽率の増加による)とは異なる。
【００６６】
TFT基板は、配線、TFT、コンデンサの金属部からなっており、各セル、各セルをデータ線、走査線、電源供給線の金属配線で囲んでいる。この金属配線がすなわち、光を遮光する部分であり、格子状に配列される。これは、正しく、金網と同等なため、今回の開口部とぼけの実験においてはステンレス製の金網で代用することができる。
【００６７】
よって、正方形の開口部があり、縦、横の長さを規定したステンレス製の金網を用いた。開口部の辺の長さは縦、横同じ長さのdμｍであり、その長さは、33μmから415μmの10種類を用いた。
【００６８】
また、開口部には有機EL層があるため、有機EL層によるぼけの程度を評価するためTFTがないパッシブマトリックス型の有機ELパネル（PM-OLED）においても、同様のぼけ許容の評価を行った。
【００６９】
透過像には、11、12、18ポイントで書かれた文字を用いた。ステンレス金網５０５から観測者の眼までの距離は30ｃｍと60cmの2種類、ステンレス金網５０５から文字５０１までの距離は30cmとした。
【００７０】
さらに、ステンレス金網５０５とNDフィルタ５０８を除き、代わりに、パッシブマトリックス型、すなわち、図１のTFT１０１を除き発光層１０５に有機ELを使用したパッシブマトリックス型の有機ELパネル（PM-OLED）を置いて、同様のぼけ許容の評価を行った。
【００７１】
ぼけ許容の評価は、透過像が良好に見えるを100点、透過像のぼけが気にならないを50点、透過像がぼけて見えるを25点、透過像が非常にぼけて許容できないを0点の４段階評価を行った。
【００７２】
図５（ｂ）、（ｃ）に開口径ｄとぼけの許容評価の結果を示す。図５（ｂ）は表で示し、図５（ｃ）はグラフで示した。
【００７３】
図５（ｃ）より、ぼけ許容評価値が０点は100μmである。
【００７４】
したがって、開口径ｄが100μm以下では“透過像のぼけが許容できない”ことがわかった。
【００７５】
図５（ｃ）より、ぼけ許容評価値が２５点は200μmである。
【００７６】
開口径ｄが200μm以上では“透過像がぼけて見えることが許容できる”ことがわかった。
【００７７】
また、図５（ｃ）より、ぼけ許容評価値が５０点は270μmである。
【００７８】
したがって、開口径ｄが270μm以上では“透過像のぼけが気にならない”ことがわかった。
【００７９】
また、図５（ｃ）より、ぼけ許容評価値が１００点は300μmである。
【００８０】
したがって、開口径ｄが300μm以上では“透過像が良好に見える”ことがわかった。
【００８１】
また、パッシブマトリックス型の有機ELパネルを通過した透過像はぼけずに良好に見えるので、発光層等の影響による透過像のぼけではないことが確認できた。
【００８２】
以上より、図２の透過部の一セルの縦の長辺２０６および横の長辺２０７の長さは、少なくとも、200μm以上であると良いことがわかった。
【００８３】
また、画質と画面サイズの観点より、縦の長辺２０６および横の長辺２０７の長さは、1200μｍ以下が好ましい。より好ましくは600μm、さらに好ましくは450μm以下が好ましい。
【００８４】
人間の感覚は10%ぐらいの許容幅を持っているので、上述した長さの値は、±10％程度の許容幅を有している。例えば200μmとは±10％程度、すなわち±20μmの許容幅を有している。
【００８５】
ここで、透過部の辺の長さを２００μｍ以上とせずに制限したのは、透過部の径を小さくして、高解像度にすることが難しいのであって、透過部の径を大きくして、低解像度で達成することは簡易であるためであり、２００μm以上で透過像をぼけなく知覚でき、高解像度の表示像を得ることができる特異点であることによる。
【００８６】
このように、発光部２０３を含む透過部の一セルの縦の長辺２０６、横の長辺２０７を200μm以上にすることにより、透過像をぼけることなく知覚することができる。
【００８７】
なお、図2(b)のように、発光部２０３はTFT基板２０４上に重なっていても問題ないことはいうまでもなく、発光部を含んだと透過部の縦の長辺は２０６、横の長辺は２０７のように、TFT配線に囲まれた部分となる。
【００８８】
また、図２（ｃ）のように発光部の全周に制御部が配置されてもよい。
【００８９】
これにより、サイズが大型化しても、きれいな映像を表示像として表示することができる。
【００９０】
以上のように、実施の形態１の透明ディスプレイパネルでは、セル毎に発光部と前記発光部の発光を制御する制御部、２つの透明電極部とを設けたディスプレイパネルであり、発光部を含む透過部の形状は縦、横の長辺はともに200μm以上いう構成とすることにより、光の回折が知覚できるレベルからはずれることとなり、ぼけを許容できる透過像と高解像度の表示像を提供することができる。
【００９１】
より好ましくは、発光部を含む透過部の形状は縦、横の長辺はともに270μm以上いう構成、さらに、より好ましくは、発光部を含む透過部の形状は縦、横の長辺はともに300μm以上いう構成とすることにより、光の回折が知覚できるレベルからはずれることとなり、ぼけずに知覚できる透過像と高解像度の表示像を提供することができる。
【００９２】
なお、本実施形態では、発光層１０５として有機EL素子を用いたが、これに限定されることなく、無機EL素子やLED素子でも良い。ただし、低電圧という場合では有機EL素子が良く、長寿命という場合では無機EL素子やLED素子が良い。
【００９３】
（実施の形態２）
図６は、本発明の第２の実施の形態における透明ディスプレイパネルを示すものである。図６において、実施形態1の構成と異なるところは発光部の発光を制御する制御部を上辺の二角に配置した点である。
【００９４】
図６(a)、(b)の制御部において、データ線２０５、走査線２０２、電源供給線２０１を除く制御部は６０１である。
【００９５】
図６(a)の６０２のように制御部から電極に抵抗を低減するように配線してもかまわない。
【００９６】
また、図６（ｂ）のように、発光部２０３と制御部６０１を重ねることで電極への電流供給を兼ねても問題ない。
【００９７】
以上のように、本実施の形態の透明ディスプレイパネルでは、制御部はトランジスタとコンデンサと配線からなり、トランジスタとコンデンサは、セルの上辺の二角に配置されることにより、高解像度を維持しつつ、縦の長辺２０６、横の長辺２０７が200μm以上となり、高解像度の表示像と良好に知覚できる透過像を提供することができる。
【００９８】
（実施の形態３）
図７は、本発明の第３の実施の形態における透明ディスプレイパネルを示すものである。図７において、実施形態1、２の構成と異なるところは発光部の発光を制御する制御部の形状、すなわち、角に配置されたトランジスタとコンデンサと配線からなる形状は各セルの中央を通る縦線に対して線対称である点である。
【００９９】
図７(a)、(b)は制御部の形状が各セルの中央を通る縦線に対して線対称である場合を示してある。
【０１００】
図７(a)のように、直線的に制御部を形成しても、図７(b)のときに曲線的に制御部を形成しても問題がない。
【０１０１】
以上のように、本実施の形態の透明ディスプレイパネルでは、制御部の形状が各セルの中央を通る縦線に対して線対称であることにより、各セルの重心が中央に位置することで表示像の表示の重心が左右方向に対して変化せず、安定して良好に知覚できる表示像と透過像を提供することができる。
【０１０２】
さらに、制御部の形状が各セルの中央を通る縦線に対して線対称であることにより、表裏面を反対にして二枚の透明ディスプレイパネルを重ねても、発光部の位置が重ね合わさるため、両方向から良好に知覚できる表示像と透過像を提供することができる。
【０１０３】
さらに、制御部の形状が各セルの中央を通る縦線に対して線対称であることにより、表裏面を反対にして二枚の透明ディスプレイパネルを重ねても、表裏面を反対にせずに二枚の透明ディスプレイパネルを重ねても、発光部の位置が重ね合わさるため、両パネルの発光を混色した表示として良好に知覚できる表示像と透過像を提供することができる。
【０１０４】
（実施の形態４）
図８は、本発明の第４の実施の形態における透明ディスプレイパネルを示すものである。図８において、実施形態1、２の構成と異なるところは発光部の内部の一部に発光材料が塗布されていない部分の開口部８０１が存在する点である。
【０１０５】
開口部８０１には発光材料が塗布されていないため、ヘイズはほとんどない状態である。
【０１０６】
一般に、人間の認知メカニズムは、図８に示す通り、見えているところから隠蔽されているところを推測して認知することが知られていることから、透過像をよりくっきりと知覚することができる(たとえば、amodal  perception)。
【０１０７】
図８において８０２は発光部、８０３は制御部である。
【０１０８】
（実施の形態５）
図９は、本発明の第５の実施の形態における透明ディスプレイパネルを示すものである。図９において、実施形態1、２、３、４の構成と異なるところは発光部の裏面には、一部の可視波長域のみを反射する反射膜９０１が存在する点である。
【０１０９】
反射膜９０１は発光部１０５から発光した光が反射されるため、両面から発光はされず、発光方向９０２のみの発光となる。
【０１１０】
これにより表示像の輝度は高くなることからよりくっきりと表示像を知覚することができる。
【０１１１】
反射膜９０１は、例えば、多層の反射膜で構成することで、可視波長域を任意に設計できる。
【０１１２】
また、発光材料の粒子径は均一小粒径で球状であればヘイズが減少することにより透過像をよりくっきりと知覚することができる。
【０１１３】
（実施の形態６）
図１０は、本発明の第６の実施の形態における透明ディスプレイパネルを示すものである。
【０１１４】
図１０において、２０１は電源供給線、２０２は走査線、２０３は発光部、２０５はデータ線、１００１は制御部、１００２は電極コンタクト部、１００３は透過部の目標値である。
【０１１５】
図１０に示す１セルの外形寸法はより具体的には、縦、横ともに３５０μｍで、透過部の縦の長辺２０６は２９３μｍ、透過部の横の長辺２０７は３０８μｍである。本実施例の電源供給線２０１、走査線２０２、データ線２０５、制御部１００１、電極コンタクト部１００２は、できるだけ、透過部の目標値１００３の円の外に配置できるように設計した。
【０１１６】
透過部の目標値１００３のように、透過部の形状を縦横だけの長さだけでなく、全方向に対して200μm以上、さらには、270μｍ以上、よりさらには、300μm以上にすることにより良好に知覚できる透過像を知覚することができる。
【０１１７】
また、透過部の目標値をできる限り小さくすることで表示像の解像度は高くなることは言うまでもない。したがって、透過部の目標値１００３の直径が300μmで、電源供給線２０１、走査線２０２、データ線２０５、制御部１００１、電極コンタクト部１００２は、できるだけ、透過部の目標値１００３の円の外に配置された本実施例は、高解像度の表示像と良好に知覚できる透過像を提供できる。
【０１１８】
（実施の形態７）
図１１は、本発明の第７の実施の形態における透明ディスプレイパネルを示すものである。
【０１１９】
図１１において、２０１は電源供給線、２０２は走査線、２０３は発光部、２０５はデータ線、１００１は制御部、１００２は電極コンタクト部、１００３は透過部の目標値である。
【０１２０】
図１１に示す１セルの外形寸法はより具体的には、縦、横ともに３５０μｍで、透過部の縦の長辺２０６は２０５μｍ、透過部の横の長辺２０７は３０８μｍであり、縦長辺の１．５倍の長さが横長辺である。本実施例の電源供給線２０１、走査線２０２、データ線２０５、制御部１００１、電極コンタクト部１００２は、できるだけ、透過部の目標値１１０１の円の外に配置できるように設計した。
【０１２１】
人間の目は、たとえば、“眼・色・光、日本印刷技術協会P.9”に書かれているように、弁別視野は上下左右で異なり、左右の横方向が最も弁別視野が高い。縦方向の弁別視野に対して、横方向の弁別視野は１．５倍よい。したがって、開口部もこの比率で設計すればよいと考えられる。
【０１２２】
透過部の目標値１１０１のように、透過部の形状を縦横だけの長さだけでなく、横方向に対して270μm以上、さらには、220μｍ以上、にしても透過像を知覚することができる。
【産業上の利用可能性】
【０１２３】
本発明の透明ディスプレイパネルは、ショーウインドウやシースルー情報装置等として有用である。
【符号の説明】
【０１２４】
１０１    TFT
１０２    平坦化膜
１０３    第1の透明導電層
１０４    注入・輸送層
１０５    発光層
１０６    注入・輸送層
１０７    第2の透明導電層
２０１    電源供給線
２０２    走査線
２０３    発光部
２０４    制御部
２０５    データ線
２０６    透過部の縦の長辺
２０７    透過部の横の長辺
３０１    透明基板
３０２    第1の透明導電層
３０３    正孔輸送層
３０４    発光層
３０５    電子輸送層
３０６    電子注入金属層
３０７    第2の透明導電層
４０１    スイッチ用TFT
４０２    駆動用TFT
４０３    コンデンサ
５０１    文字“あ”
５０２    照明光源
５０３    ステンレス製金網
５０４    開口部の縦穴の長さ
５０５    開口部の横穴の長さ
５０６    観測者の眼
５０７    知覚される透過像
５０８    NDフィルタ
６０１    制御部
６０２    電極コンタクト部
７０１    制御部
７０２    制御部
８０１    開口部
８０２    発光部
８０３    制御部
９０１    反射膜
９０２    反射膜
１００１    制御部
１００２    電極コンタクト部
１００３    透過部
１１０１    透過部
【図１】
2012221910.tif 000003
【図２】
2012221910.tif 000004
【図３】
2012221910.tif 000005
【図４】
2012221910.tif 000006
【図５】
2012221910.tif 000007
【図６】
2012221910.tif 000008
【図７】
2012221910.tif 000009
【図８】
2012221910.tif 000010
【図９】
2012221910.tif 000011
【図１０】
2012221910.tif 000012
【図１１】
2012221910.tif 000013